(57)【要約】    【課題】  本考案は、１本の指先に装着すると具合よくおさまって１本の指先にて操作することができ、したがって、該化粧用パフの指先側の角部を利用してポイントメイクを行うことができて便利な小型化粧用パフを提供することにある。    【解決手段】  本考案に係る小型化粧用パフＡは、縫製により形成された化粧用パフであって、該化粧用パフは、１カ所以上の角部１３を有し、該角部側を指先側として装着可能な指挿入部Ａ２を設け、１本の指を挿入して操作することが可能な小型形状をなすものである。    【選択図】        図３
0003116301.tif 000002
【実用新案登録請求の範囲】
【請求項１】
縫製により形成された化粧用パフであって、
該化粧用パフは、１カ所以上の角部を有し、
該角部側を指先側として装着可能な指挿入部を設け、
１本の指を挿入して操作することが可能な小型形状をなすことを
特徴とする小型化粧用パフ。
【請求項２】
指挿入部が指挿入可能な袋体であることを特徴とする請求項１に記載の小型化粧用パフ。
【請求項３】
指挿入部が指挿入可能な帯状体であることを特徴とする請求項１に記載の小型化粧用パフ。
【考案の詳細な説明】
【技術分野】
【０００１】
本考案は、化粧に使用する縫製パフに関し、特に、指先に装着して使用できる程度の小型化粧用パフに関する。
【背景技術】
【０００２】
従来の化粧用の縫製パフは、鋭角にとがった部分を有するものがなかった。また、小さなパフを縫製により製造する技術が開発されておらず、形状的及びサイズ的に製造が困難なパフとみられてきた。このような事情により、縫製パフではポイントメイクを行うことは難しく、アイシャドウ等に始まる化粧材に適した縫製パフは存在しなかった。したがって、従来の縫製パフを使用して、ポイント的な細部に化粧を施すには、平面円形又は角丸の矩形に形成された縫製パフを二つ折りにし、その先端部によって細部に化粧を施していたのが一般的である。
【考案の開示】
【考案が解決しようとする課題】
【０００３】
しかしながら、上記のような化粧方法は、面倒であり、かつ、具合良く化粧を施すことは困難であり、適切な方法ではなかった。
【０００４】
そこで、本考案者は、鋭意研究を重ねた結果、小さなパフが縫製できるように治工具を改良し、角部を有する小型化粧用パフを開発した。
【課題を解決するための手段】
【０００５】
本考案に係る小型化粧用パフは、縫製により形成された化粧用パフであって、該化粧用パフは、１カ所以上の角部を有し、該角部側を指先側として装着可能な指挿入部を設け、１本の指を挿入して操作することが可能な小型形状をなすことを特徴とするものである。なお、前記小型化粧パフにおける指挿入部を袋体にて構成してもよく、また、帯状体にて形成してもよい。
【０００６】
また、上記小型化粧用パフにクッション体を内包して構成してもよい。上記小型化粧用パフの平面形状としては、ハート形、卵形、涙形などの湾曲部分を有する形状や四角形、三角形などの多角形を採用することができる。
【考案の効果】
【０００７】
上記のように構成した本考案に係る小型化粧用パフは、１本の指先に装着すると具合よくおさまって１本の指先にて操作することができ、したがって、該化粧用パフの指先側の角部を利用してポイントメイクを行うことができて便利である。
【考案を実施するための最良の形態】
【０００８】
以下に、本考案の好適な実施例を添付の図面に基づいて詳細に説明する。
【実施例１】
【０００９】
図１は本実施例に係る小型化粧用パフの組み立て後の斜視図であり、図２は該小型化粧用パフの組み立て後の断面図であり、図３は該小型化粧用パフを指に装着した状態を示す概略斜視図である。
【００１０】
図１〜図３において、１０ａ，１０ｂは本実施例に係る小型化粧用パフＡの袋体Ａ１を形成するための上部側生地であり、１１は同化粧用パフの袋体を形成するための下部側生地である。上部側生地１０ａ，１０ｂは、その一方の面が比較的毛足の短い起毛地で構成され、下部側生地１１は、その一方の面が比較的毛足の長い起毛地であってクッション性を備えた生地より構成される。なお、本実施例においては、毛足の長さに差のある起毛地を使用しているが、必ずしも毛足の長さに差のある起毛地を使用する必要はなく、また、起毛地でなくてもよい。
【００１１】
以上のようにこの小型化粧用パフＡは、角部１３を備え、上部側生地１０ａ，１０ｂの重ね合わせ部１２の無縫着部分が指挿入口１６となる指挿入部Ａ２が形成されてなる。そして、この指挿入部Ａ２は、その指挿入口１６に対して角部１３側が奥部となり、指挿入口１６から指を挿入したときには、角部１３側が指先側となる。また、下部側生地１１は比較的毛足の長い起毛面が露出しており、上部側生地１０ａ，１０ｂは比較的毛足が短い起毛面が露出している。
【００１２】
したがって、上記した本実施例に係る小型化粧用パフＡは、縫製により形成された化粧用パフであって、該化粧用パフＡは、角部１３を有し、該角部１３側を指先側として装着可能な袋体よりなる指挿入部Ａ２を設け、図３に示すように、該化粧用パフＡの指挿入口１６から１本の指を挿入して操作することが可能な小型形状をなすものであり、その結果、角部１３を利用してポイントメイクを行うことができる。
【実施例２】
【００１３】
図４は本実施例を示す図であって、本実施例における小型化粧用パフ２Ａは、上部側生地２０ｂの無縫着部分が指挿入口２６となる袋状の指挿入部２Ａ２が形成され、該指挿入口２６から指を挿入すれば、図３に示すのと同様の装着状態となる。
【実施例３】
【００１４】
図５及び図６は本実施例を示す図であって、本実施例における小型化粧用パフ３Ａは、毛足の短い卵形の２枚の生地３１ａ、３１ｂと、卵形の２枚の下部側生地３１ａ、３１ｂの角部３３と直交する方向に中央両側部から帯状体３６とから構成される。小型化粧用パフ３Ａの形成方法は、２枚の生地３１ａ、３１ｂをそれぞれ毛足のある方を内側にし、卵形の生地３１ａ、３１ｂの角部３３に直交する方向で卵形の生地３１ａ、３１ｂの中央部を横断するように帯状体３６挟み込み、卵形の生地３１ａ、３１ｂの周囲を一部を残して縫着する。その縫着していない一部の箇所から毛足のある方が外面に露出するように裏返せば、帯状体３６も外部に現れ、図５に示す状態となる。そして、図６に示すように、角部３３を指先側にして生地側を指の腹側にあてがい、指の爪側に帯状体３６が位置するように指に装着して使用する。なお、本実施例においては、下部側生地として２枚の生地を使用している例を示したが、１枚の生地で作成してもよく、その場合には、材料の削減及び製造の簡素化によりコストが削減できる利点がある。また、下部側生地を構成する生地の枚数はこれに限られるものではないことはいうまでもない。
【図面の簡単な説明】
【００１５】
【図１】本考案の実施例１に係る小型化粧用パフの組み立て後の斜視図である。
【図２】実施例１に係る小型化粧用パフの組み立て後の断面図である。
【図３】実施例１に係る小型化粧用パフを指に装着した状態を示す概略斜視図である。
【図４】本考案の実施例２に係る小型化粧用パフの組み立て後の斜視図である。
【図５】本考案の実施例３に係る小型化粧用パフの組み立て後の斜視図である。
【図６】実施例３に係る小型化粧用パフを指に装着した状態を示す概略斜視図である。
【符号の説明】
【００１６】
Ａ・・・・小型化粧用パフ    Ａ１・・・袋体
Ａ２・・・指挿入部          １０ａ・・上部側生地
１０ｂ・・上部側生地        １１・・・下部側生地
１２・・・重ね合わせ部      １３・・・角部
１６・・・指挿入口
２Ａ・・・小型化粧用パフ    ２０ｂ・・上部側生地
２６・・・指挿入口          ２Ａ２・・指挿入部
３Ａ・・・小型化粧用パフ    ３１ａ・・卵形の生地
３１ｂ・・卵形の生地        ３３・・・角部
３６・・・帯状体
【図１】
0003116301.tif 000003
【図２】
0003116301.tif 000004
【図３】
0003116301.tif 000005
【図４】
0003116301.tif 000006
【図５】
0003116301.tif 000007
【図６】
0003116301.tif 000008